(57)【要約】【目的】心身の疲労した特に老人，病人がじっくりとくつろぎ、尚上半身の筋骨，内臓を休めるために、大きく両手を広げ、胸を張って深呼吸し易くし、背骨を反らせながら、腰，腹，肩を横方向にも傾けて安楽に睡眠，休息し易くする。【構成】上下左右方向に中央部の高い傾斜面のある背骨反らせマットの下部付近に、ほぼ紡錘形状の、腰，腹等の側後面を寄せかける側面寄せ乗せ部を着脱自由に取付け、頭部の枕には高さ，前後の形状を変化させる中枕を備え、尚傾斜成型硬部と後垂直壁を有する上半身傾斜ベッドを利用する。【選択図】図１
2005279239.tif 000002
【特許請求の範囲】
【請求項１】
稍軟質合成樹脂で、下部の左右幅を稍広めた上下左右のほぼ中央に盛り上げ部（３）を有する背骨反らせマット（１）の左右傾斜面上下方部寄りに乗せる。上面がほぼ円弧面で縦長ほぼ紡錘形状の左右の側面寄せ乗せ部（４，４’）の上下端を、左右の紐又は小袋状部に着脱自由に挟み止め、枕内部の中空部布（１６）内にほぼ直角三角形状（１５）又は下辺と上辺（１８，１９）を有する折畳部から成る中枕（１５）を設けて、背骨を反らし上半身を休める寝具。
【請求項２】
後部の高い傾斜成型硬部（２３）を包み、稍軟質の合成樹脂で成型する底面、後垂直部、前傾斜面を有する上半身傾斜ベッド（２）の後上面に前下面を接着した垂直壁（２６）を取付け、前傾斜面上に「請求項１」記載の背骨反らせマット（１）を乗せて、背骨を反らし上半身を休める寝具。
【発明の詳細な説明】
【産業上の利用分野】
【０００１】寝具，医療用寝具。
［従来の技術］
【０００２】従来、睡眠中に背骨を反らし、肺呼吸を大きくする事により、背骨，腰骨の疲れ，痛みを取り易くし、尚それが特に老人の上向き，横向きの睡眠中の寝返り等を楽にし、猫背，腰曲がり等を予防し易くする事については考えられなかった。
［発明が解決しようとする課題］
【０００３】背骨をそらせるためにどのような寝具を用いるか。
【０００４】更に寝返り等をし易く、楽にするにはどうするか。
【０００５】背骨を反らせる睡眠姿勢をもっと楽にする方法は無いか。
【０００６】背骨反らせ姿勢で枕をどのように安定させるか。
［課題を解決するための手段］
【０００７】０００３には、背骨反らせマット１を用いる。
【０００８】０００４には、背骨反らせマット１の側辺近くに、腰部，横腹部を寄せもたれかけ、乗せかける側面寄せ部４，４’を着脱自由に取付け設ける。
【０００９】０００５には、上半身傾斜ベッド２を用いる
【００１０】０００６には、枕１４の内部に設ける中空部布１６内に入る中枕の位置，前部と後部の高さを調節する。
［作用］
【００１１】０００７に示す背骨反らせマット１は、図２でほぼ中央の盛り上げ部３付近から四周へ次第に低くなる傾斜面を設けて、上下方向の傾斜面（図７）の上面に、図１，図６のように、上半身５を反らせて仰向けになると、背骨が反り返ると同時に、図３のＢ−Ｂ線断面図の上で胸が左右に広がり易くなり上腕も左右に垂れ下がって呼吸がし易くなり肺活量を増すので、深呼吸をしたと同様に全身への血行がよくなり、酸素供給量を増し、疲労の回復を早めると共に、猫背，腰曲がりの予防にもなる。
【００１２】０００８の側面寄せ乗せ部４，４’は、図２の背骨反らせマット１の左右側辺傾斜面下方部（腹，腰部）に、上面がほぼ円弧面状（図４，５）で縦長のほぼ紡錘形状とした４，４’上下端を、左右上下の小袋状部２８，２８’又は紐部２７，２７’に挟み入れておくと外して身長の大小に応じて上下に移動して、寝返り，横向き寝する時に腹筋，側腹筋，背骨等に力を入れておく必要なく、力を抜いてもたれ得るので、安楽に睡眠，休息し得、又腰痛，背骨しびれ等のある病人，老人のリハビリ訓練にもなり、外して３０，３１等に移動して用い得る。
【００１３】０００９の上半身傾斜ベッド２は、最も疲労し，症状の危険な病人等は図６で水平な硬質マットレス（又は敷布団，軟質マットレス等）９の上の稍軟質マットレス１１を用いるが、その他の病人，老人，普通人等が、リラックスして睡眠，休息する時には図１の上半身傾斜ベッド２を用いると、稍軟質のマットレス（底面１１，後垂直部１２，上前傾斜部１３）の内部の傾斜成型硬部２３（型崩れしない程度の稍軟質合成樹脂，合成ゴム等て肩部，頭部を高く成型）により、上半身５の体重の一部は下半身の方へ加重されるので、上半身５の肩部付近が軽く浮いた感じになると共に肩の疲労が取れ易くなり肩こり，肩痛も解消され易く、同時に背骨上部の疲労も取れ易く背中の汗ばみも少くなる。
【００１４】００１０の中枕１５は、図６の水平面，図１の上前傾斜部１３と平行な首すじの後上の頭下面が高すぎると、首すじに力がかかり、低すぎるとあごが上がりすぎて共に疲れを取り難く肩こりの原因にもなるので、中枕１５の前後の位置，前部と後部の厚みに変化を与える等の調整をする。
【実施例】
【００１５】図１，６の底面水平部には硬質マットレス９を用いて、尚その上の水平部分には稍軟質のマットレス１１（図１では後垂直部１２，上前傾斜部１３と共に）と背骨反らせマット１、その上面の側面寄せ乗せ部４，４にも稍軟質のマットレス又はそれとほぼ同低度の軟質合成樹脂を用いるが、図１の上半身傾斜ベッド２の内部の傾斜成型硬部２３にはその外周の１１，１２，１３よりも硬質の合成樹脂部とする。尚中枕１５も稍軟質程度の合成樹脂を用いる。【００１６】００１４で、中枕１５の前部と後部の厚みに変化を与えるにはほぼ直角三角形に成型した中枕１５の頂点１７を後部（図１に用いる場合）又は前部とし尚図６の下水平部稍軟質マッレス１１後上面，図１の後垂直部１２の上面には、枕１４の落下防止用の垂直壁２６の前下面２９を接着して取付ける。【００１７】背骨反らせマット１，よせ乗せ部４，４’、傾斜成型硬部２３，中枕１５等の合成樹脂部の硬質度，軟質度を調整するには、可塑性とした例えばポリエチレン，ビニール等の各種素材をほぼ融点以上に熱した直後に、溶融した泡ゴム，合成ゴム，気泡部のあるシート，発砲スチロール等の素材を混入する温度と時間，混合する各素材の一部又は全部の内部分子構造変化の速度，度合，冷却の速さ時間等を考慮，調節して成型する。【００１８】図１，６で、上半身５の腰部尾てい骨上の小凹み２１に、合わせる小山部２２を図７の背骨反らせマット１と図５に設けて、その部の腰部の疲れを休め易くする場合もある。【００１９】中枕１５は折畳布（厚さ３−−５ｃｍ程度、又は稍軟質の合成樹脂）として、下辺１８の後部（図６の場合）を折曲げ畳んで上辺１９へ折返す部の長さを下辺１８より短くして後部を高くし、下辺１９を折返す場合を示す。
【発明の効果】
【００２０】心身の疲労時、両手を広げ、腰を伸ばし易くする背骨反らせマット１は、肺活量を増し肺梗塞，肺気腫等の予防，治療，リハビリに効果があると共に、腰曲がり，猫背の予防にもなり、睡眠，休息中に全身の血行がよくなると、上半身を横へ向け，寝返りする必要があるので側面寄せ乗せ部４，４も備え、更にリラックスするには、上半身５の頭部を高く傾斜させた上半身傾斜ベッド２を用いて背骨と上半身を浮かせ軽くして、肩こり，肩痛の予防，解消にも役立ち得、尚首から頭部を安楽に安定させるには枕袋１５の中に小枕２４を用意し、最も健康的に安眠，休息し得る。
【図面の簡単な説明】
【図１】上半身下面に背骨反らせマット，上半身傾斜ベッドを置く側面図。（上腕部省略）
【図２】背骨反らせマット１の斜視図。
【図３】図２のＢ−Ｂ線断面図。
【図４】図２のＣ−Ｃ線断面図。
【図５】図２のＤ−Ｄ線断面図。
【図６】上半身下面に水平に背骨反らせマットを置く側面図（上腕部省略）
【図７】図２のＡ−Ａ線断面図。
【符号の説明】
１−−−−−背骨反らせマット
２−−−−−上半身傾斜ベッド
３−−−−（１の）中央盛り上げ部
４，４’−−−（左右の）（腰，腹部の）側面寄せ乗せ部
５−−−−−上半身
６，７，８−−−腰部，腹部，肩部
９−−−−（１０の下の）硬質マットレス
１０−−−−−敷布
2005279239.tif 000003
１４−−−−−枕
2005279239.tif 000004
２１−−−−（尾てい骨上の）小凹み
２２−−−−（２１に合わせて１の上面の）小山部
２３−−−−−稍硬質樹脂部（１１，１２，１３の内部）
２６−−−−−垂直壁
２７，２７’−−−（図２で４，４’上部を挟む）紐
２８，２８’−−−（図２で４，４’下部を挟み入れる）小袋状部
２９−−−−（２６の）前下部（接着部）
３０，３１−−−−（４，４’を置き換える）移動位置の一例（点線）
【図１】
2005279239.tif 000005
【図２】
2005279239.tif 000006
【図３】
2005279239.tif 000007
【図４】
2005279239.tif 000008
【図５】
2005279239.tif 000009
【図６】
2005279239.tif 000010
【図７】
2005279239.tif 000011
【手続補正書】
【提出日】平成16年4月16日(2004.4.16)
【手続補正１】
【補正対象書類名】明細書
【補正対象項目名】００１４
【補正方法】変更
【補正の内容】
【００１４】００１０の中枕１５は、図６の水平面，図１の上前傾斜部１３と平行な首すじの後上の頭下面が高すぎると首すじに力がかかり、低すぎるとあごが上がり、共に疲れを取り難く肩こりの原因にもなるので、中枕１５（頂点１５を有するほぼ直角三角形状，又は下辺１８，上辺１９を有する図６の折畳布等）の前後の位置，前部と後部の厚みに変化を与える等の調整をする。
【手続補正２】
【補正対象書類名】明細書
【補正対象項目名】００２０
【補正方法】変更
【補正の内容】
【００２０】心身の疲労時、両手を広げ、腰から上を伸ばし易くする背骨反らせマット１は、肺活量を増し肺梗塞，肺気腫等の予防，治療，リハビリに効果があると共に、腰曲がり，猫背の予防にもなり、睡眠，休息中に全身の血行がよくなると、上半身を横へ向けたり、寝返りする必要も生ずるので背骨反らせマット１の側辺又はその側方随意の位置に着脱，移動容易に側面寄せ乗せ部４，４’を備え、更にリラックスするには、上半身５の頭部を高くする上半身傾斜ベッド２を用いて、背骨と上半身を浮かせ軽くして、肩こり，肩痛の予防，解消にも役立ち、尚背骨を反らせた首すじの上の頭部を最も安楽な姿勢で安定させるために、枕の中に中空部布１６を備えた中に中枕１５を位置と高さの調節容易に設け、最も健康的に安眠，休息し得る。
【手続補正３】
【補正対象書類名】図面
【補正対象項目名】図１
【補正方法】変更
【補正の内容】
【図１】
2005279239.tif 000012
【手続補正４】
【補正対象書類名】明細書
【補正対象項目名】００１０
【補正方法】変更
【補正の内容】
【００１０】０００６には、枕１４の内部に設ける中空部布１６内に入る中枕の位置，前部と後部の高さを調節する。
【手続補正５】
【補正対象書類名】図面
【補正対象項目名】図２
【補正方法】変更
【補正の内容】
【図２】
2005279239.tif 000013